(57)【要約】【課題】各色の透過型液晶パネルやその周辺に配置される偏光フィルタを効率的に冷却することができ、明るく高品位の投射像を形成できるプロジェクタやテレビを提供すること。【解決手段】各色の液晶ライトバルブ２５ｖａ，２５ｖｂ，２５ｖｃの長手方向が基準面ＳＳに対して垂直に配置されているので、液晶ライトバルブ２５ｖａ，２５ｖｂ，２５ｖｃを構成する液晶パネル２５ａ，２５ｂ，２５ｃや偏光フィルタ２５ｅ，２５ｆ，２５ｇといった要素が鉛直方向（Ｚ方向）に延びる状態で設置される。よって、液晶パネル２５ａ，２５ｂ，２５ｃや偏光フィルタ２５ｅ，２５ｆ，２５ｇを空気の対流を利用して効率的に冷却することができ、経時的に劣化や変動の少ない高品位の画像を透過型スクリーン１８上に投射することができる。【選択図】図１
2008102401.tif 000002
【特許請求の範囲】
【請求項１】
各色の照明光によって照明される各色の光変調装置と、前記各色用の光変調装置から射
出される各色の光束を合成する合成光学系と、前記合成光学系を経た光束を投射する投射
レンズとを備え、前記各色の光束の中心軸を含むとともに水平に配置される基準面に対し
て、前記各色の光変調装置の長手方向が垂直に配置される本体光学系と、
前記基準面に垂直な第１反射平面を基準として、前記本体光学系からの光束を、鉛直方
向に折り曲げる第１ミラーと、
前記第１反射平面に垂直な第２反射平面を基準として、前記第１ミラーで反射された光
束を、略水平方向に折り曲げる第２ミラーと
を備えるプロジェクタ。
【請求項２】
前記第２ミラーは、鉛直方向に対して４５°傾斜しており、前記第１ミラーで反射され
て鉛直上方に射出される光束を水平方向に折り曲げる請求項１記載のプロジェクタ。
【請求項３】
前記第２ミラーの正面に配置されるとともに前記第２ミラーで反射された光束を入射さ
せる表示用のスクリーンさらに備える請求項１及び請求項２のいずれか一項記載のプロジ
ェクタ。
【請求項４】
前記スクリーンは、前記第１反射平面に対して平行に配置されるとともに前記第２反射
平面に対して垂直に配置され、前記第２ミラーは、前記スクリーンの裏面に光束を入射さ
せる請求項３記載のプロジェクタ。
【請求項５】
前記各色の照明光は、赤光、緑光、及び青光を含み、前記各色用の光変調装置は、赤、
緑、及び青の画像を形成する各色用の液晶パネルを含む請求項１から請求項４のいずれか
一項記載のプロジェクタ。
【請求項６】
光源から射出された光源光を波長に応じて分離することにより、前記各色用の光変調装
置に入射させるべき前記各色の照明光を形成する色分離光学系をさらに備える請求項１か
ら請求項５のいずれか一項記載のプロジェクタ。
【請求項７】
前記各色の光変調装置の周囲に鉛直方向の気流を形成する水平配置型の冷却装置をさら
に備える請求項１から請求項６のいずれか一項記載のプロジェクタ。
【請求項８】
請求項１から請求項７のいずれか一項記載のプロジェクタと、
入力信号を処理することにより、前記各色の光変調装置を駆動するための駆動信号を生
成する信号処理回路と
を備えるテレビ。
【発明の詳細な説明】
【技術分野】
【０００１】
本発明は、液晶表示パネル等を用いて画像を投射するプロジェクタ及び斯かるプロジェ
クタを応用したテレビに関する。
【背景技術】
【０００２】
背面投射型のプロジェクタを応用したテレビとして、光変調装置から垂直上方に射出さ
れる光束をミラーで正面方向に折り返してスクリーンに入射させるものがある（特許文献
１参照）。このような背面投射型のテレビでは、光変調装置が３色用の３つの透過型液晶
パネルを含み、各透過型液晶パネルの光軸を含む基準面が鉛直方向に延びスクリーンに垂
直になっている。
【０００３】
別の背面投射型のディスプレイとして、光変調装置から水平方向に射出される光束を第
１ミラーで斜め後方に折り返した後、第２ミラーで正面方向のスクリーンに入射させるも
のがある（特許文献２参照）。このような背面投射型のディスプレイは、光変調装置が３
色用の３つの透過型液晶パネルを含み、各透過型液晶パネルの光軸を含む基準面は、スク
リーンに平行に近いが角度βだけ傾斜した状態となっている。
【０００４】
なお、反射変調型の単一の液晶パネルに裏面側から画像を書き込んで、反射光として読
み出した像光をスクリーンに背面側から投射する画像表示装置も存在する（特許文献２参
照）。
【特許文献１】特開２０００−１１２０２６号公報
【特許文献２】特開２０００−７５４０９号公報
【特許文献３】特開平８３２８０３２号公報
【発明の開示】
【発明が解決しようとする課題】
【０００５】
しかし、上記のようなテレビやディスプレイでは、各透過型液晶パネルの光軸を含む基
準面が鉛直方向に延びるか多少傾斜する縦置型であるので、少なくと１つの透過型液晶パ
ネルが略水平に配置される。この結果、空気の対流を活用した冷却が困難となり、透過型
液晶パネルやその前後に配置される偏光フィルタの冷却効率が低下するので、透過型液晶
パネル、偏光フィルタ等の加熱によって投射像の画質が経時的に劣化・変動する傾向があ
る。
【０００６】
また、単一の液晶パネルのみで画像を形成する場合、液晶パネルで照明光のロスが多く
なってしまい、投射画像が暗くなる傾向がある。
【０００７】
そこで、本発明は、各色の透過型液晶パネルやその周辺に配置される偏光フィルタを効
率的に冷却することができ、明るく高品位の投射像を形成できるプロジェクタやテレビを
提供することを目的とする。
【課題を解決するための手段】
【０００８】
上記課題を解決するため、本発明に係るプロジェクタは、（ａ）各色の照明光によって
照明される各色の光変調装置と、各色用の光変調装置から射出される各色の光束を合成す
る合成光学系と、合成光学系を経た光束を投射する投射レンズとを備え、各色の光束の中
心軸を含むとともに水平に配置される基準面に対して、各色の光変調装置の長手方向が垂
直に配置される本体光学系と、（ｂ）基準面に垂直な第１反射平面を基準として、本体光
学系からの光束を、鉛直方向に折り曲げる第１ミラーと、（ｃ）第１反射平面に垂直な第
２反射平面を基準として、第１ミラーで反射された光束、略水平方向に折り曲げる第２ミ
ラーとを備える。ここで、第１反射平面とは、第１ミラーに入射する光束の中心軸（便宜
上、入射光軸とも呼ぶ）と、第１ミラーで反射された光束の中心軸（便宜上、反射光軸と
も呼ぶ）とをともに含む平面を意味し、第２反射平面とは、第２ミラーに入射する光束の
中心軸（便宜上、入射光軸とも呼ぶ）と、第２ミラーで反射された光束の中心軸（便宜上
、反射光軸とも呼ぶ）とをともに含む平面を意味する。また、第２ミラーによって像光の
光束が「略水平方向」に折り曲げられることになるが、これは、像光の光束が正確に水平
方向に導かれる場合に限らず、例えば画質を劣化させない範囲で像光の光束が多少上向き
に傾斜した方向に導かれる場合も含むことを意味している。
【０００９】
上記プロジェクタでは、各色の光変調装置の長手方向が、各色の光束の光軸を含むとと
もに水平に配置される基準面に対して垂直に配置されるので、各色の光変調装置の液晶パ
ネルや偏光フィルタといった要素が鉛直方向に延びる状態で設置される。よって、各色の
光変調装置を構成する偏光フィルタ等の要素を、空気の対流を利用して効率的に冷却する
ことができ、経時的に劣化や変動の少ない高品位の画像をスクリーン上に投射することが
できる。また、各色の光変調装置の長手方向が鉛直方向に沿った縦置型になるので、各色
の光変調装置を互いに比較的近接したコンパクトな状態に配置することができ、本体光学
系延いてはプロジェクタの小型化を図ることができる。
【００１０】
また、本発明の具体的な態様又は観点によれば、上記プロジェクタにおいて、第２ミラ
ーが、鉛直方向に対して４５°傾斜しており、第１ミラーで反射されて鉛直上方に射出さ
れる光束を水平方向に折り曲げる。この場合、第２ミラーで反射された光束は、歪みの少
ない状態で水平方向を中心とする正面方向に射出され、収差の少ない高品位の画像の投射
が可能になる。
【００１１】
本発明の別の態様によれば、第２ミラーの正面に配置されるとともに第２ミラーで反射
された光束を入射させる表示用のスクリーンさらに備える。この場合、本体光学系からの
光束を第１及び第２ミラーを介して正面のスクリーンに入射させることになる。
【００１２】
本発明のさらに別の態様によれば、スクリーンが、第１反射平面に対して平行に配置さ
れるとともに第２反射平面に対して垂直に配置され、第２ミラーが、スクリーンの裏面に
光束を入射させる。この場合、プロジェクタは、スクリーンに背後から投射された光束の
像を観察する背面投射型の画像表示装置として機能する。また、本体光学系等により、投
射レンズの正確な正面方向に配置されたスクリーンに対する画像の投射と等価な投影が可
能になり、投射像を良好なものとすることができる。
【００１３】
本発明のさらに別の態様によれば、各色の照明光が、赤光、緑光、及び青光を含み、各
色用の光変調装置が、赤、緑、及び青の画像を形成する各色用の液晶パネルを含む。この
場合、各色用の光変調装置で形成された赤、緑、及び青の画像を合成したカラーの像光に
相当する光束を投射することができる。
【００１４】
本発明のさらに別の態様によれば、光源から射出された光源光を波長に応じて分離する
ことにより、各色用の光変調装置に入射させるべき前記各色の照明光を形成する色分離光
学系をさらに備える。この場合、単一の光源からの光束を分離して各色の照明光を得るこ
とができる。
【００１５】
本発明のさらに別の態様によれば、各色の光変調装置の周囲に鉛直方向の気流を形成す
る水平配置型の冷却装置をさらに備える。この場合、各色の光変調装置を冷却装置によっ
て強制的に空冷することができ、各色の光変調装置の動作を安定に保って高品位の画像を
投射することができる。
【００１６】
本発明に係るテレビは、（ａ）上述のプロジェクタと、（ｂ）入力信号を処理すること
により、各色の光変調装置を駆動するための駆動信号を生成する信号処理回路とを備える
。
【００１７】
上記テレビは、上記した本発明に係るプロジェクタを備えており、プロジェクタに設け
た各色の光変調装置を構成する偏光フィルタ等の要素を空気の対流を利用して効率的に冷
却することができるので、経時的に劣化や変動の少ない高品位の画像をスクリーン上に表
示させることができる。また、プロジェクタに設けた各色の光変調装置を互いに比較的近
接したコンパクトな状態に配置することができるので、本体光学系延いてはプロジェクタ
の小型化を図ることができる。
【発明を実施するための最良の形態】
【００１８】
〔第１実施形態〕
図１は、本発明の第１実施形態に係るプロジェクタであるリアプロジェクション装置の
全体構造を説明する図である。ここで、図１（ａ）、１（ｂ）、及び（ｃ）は、それぞれ
リアプロジェクション装置１０の平面図、側面図、及び裏面図である。
【００１９】
このリアプロジェクション装置１０は、カラー画像を表示する背面投射型のテレビとし
て実現されており、筐体であるケース１２内の底部にプロジェクタ本体１５を備え、ケー
ス１２内の左右に関する中央に第１ミラー１６を備え、ケース１２内の背面側上部に第２
ミラー１７を備え、ケース１２前面に透過型スクリーン１８を備える。ここでプロジェク
タ本体１５は、リアプロジェクション装置１０に表示すべき画像を形成する本体光学系と
なっている。プロジェクタ本体１５から射出された像光は、その光束の中心軸と一致する
第１光軸ＯＡ１に略沿って水平横方向に進行し、第１ミラー１６で反射されて光軸ＯＡ２
に略沿って鉛直方向上方に進行し、第２ミラー１７で反射されて光軸ＯＡ３に略沿って水
平正面方向に進行し、最終的に正面の透過型スクリーン１８に裏面側から入射する。以上
において、第１ミラー１６と第２ミラー１７とは、以下に詳述するように、互いにねじれ
た関係で配置されており、縦長の矩形断面を有する像光の光束を横長の矩形断面を有する
像光の光束に変換する。
【００２０】
なお、第１ミラー１６は、例えば矩形の平面ミラーであり、不図示の手段によってケー
ス１２内に位置決めして固定されている。また、第２ミラー１７は、台形の平面ミラーで
あり、不図示の手段によってケース１２内に位置決めして固定されている。プロジェクタ
本体１５も、不図示の手段によってケース１２底部に位置決めして固定されている。透過
型スクリーン１８は、背面側にフレネルレンズシート、中間にレンチキュラレンズシート
、前面側にフロントパネルを設けた積層体である。この透過型スクリーン１８は、ケース
１２正面の支持枠部に埋め込まれた状態で固定されている。
【００２１】
このリアプロジェクション装置１０内において、第１光軸ＯＡ１は、プロジェクタ本体
１５に設けた投射レンズ２９の光軸ＯＡ０に一致しており、プロジェクタ本体１５の基準
面ＳＳである水平面に沿ってＹ方向に延びる。また、第２光軸ＯＡ２は、第１光軸ＯＡ１
の方向と第１ミラー１６の姿勢とによって規定され、プロジェクタ本体１５の基準面ＳＳ
に垂直なＺ方向に延びる。さらに、第３光軸ＯＡ３は、第２光軸ＯＡ２の方向と第２ミラ
ー１７の姿勢とによって規定され、プロジェクタ本体１５の基準面ＳＳである水平面に沿
って−Ｘ方向に延びる。
【００２２】
図２は、プロジェクタ本体１５から透過型スクリーン１８にかけての光路を概念的に説
明する斜視図である。図示のように、第１ミラー１６には、水平方向に延びる第１光軸Ｏ
Ａ１に沿ってＹ方向に進む像光ＩＬが入射し、この像光ＩＬは、ここで反射されて鉛直方
向に延びる第２光軸ＯＡ２に沿ってＺ方向に進む。この際、第１ミラー１６は、鉛直方向
に対して４５°傾斜しており、仮想的な第１反射平面を基準として反射が行われるよう配
置されている。ここで、第１ミラー１６における第１反射平面とは、第１及び第２光軸Ｏ
Ａ１，ＯＡ２を含む平面であり、ＹＺ平面に平行となっており、透過型スクリーン１８に
平行で鉛直方向に延びる。
【００２３】
一方、第２ミラー１７には、鉛直方向に延びる第２光軸ＯＡ２に沿ってＺ方向に進む像
光ＩＬが入射し、この像光ＩＬは、ここで反射されて水平方向に延びる第３光軸ＯＡ３に
沿って−Ｘ方向に進む。この際、第２ミラー１７は、鉛直方向に対して４５°傾斜してお
り、仮想的な第２反射平面を基準として反射が行われるよう配置されている。ここで、第
２ミラー１７における第２反射平面とは、第２及び第３光軸ＯＡ２，ＯＡ３を含む平面で
あり、ＸＺ平面に平行となっており、透過型スクリーン１８に垂直で鉛直方向に延びる。
結果的に、第２ミラー１７の第２反射平面は、第１ミラー１６の第１反射平面に対して垂
直に配置される。
【００２４】
以上は、プロジェクタ本体１５に設けた投射レンズ２９の光軸ＯＡ０に略沿って射出さ
れる像光ＩＬの説明であったが、投射レンズ２９からは、光軸ＯＡ０に対して一定以上の
大きな開き角をなして射出する像光もある。図１（ａ）〜（ｃ）に示すように、例えば投
射レンズ２９から射出されＸＹ平面に沿って右方向に射出される像光ＢＬは、両ミラー１
６，１７で反射されて、透過型スクリーン１８の下端部中央に入射する。また、投射レン
ズ２９から射出され、ＸＹ平面に沿って左方向に射出される像光ＴＬは、両ミラー１６，
１７で反射されて、透過型スクリーン１８の上端部中央に入射する。投射レンズ２９から
射出され、ＹＺ平面に沿って斜め下方向に射出される像光ＲＳは、両ミラー１６，１７で
反射されて、透過型スクリーン１８の右端部中央に入射する。投射レンズ２９から射出さ
れ、ＹＺ平面に沿って斜め上方向に射出される像光ＬＳは、両ミラー１６，１７で反射さ
れて、透過型スクリーン１８の左端部中央に入射する。つまり、投射レンズ２９からＺ方
向を長手方向とする長方形の断面ＲＣで射出された光束は、第１ミラー１６と第２ミラー
１７との間でＹ方向を長手方向とする長方形の断面の光束となり、透過型スクリーン１８
に入射する際に、Ｙ方向を長手方向とする長方形の断面の光束となる。
【００２５】
図３は、図１に示すリアプロジェクション装置１０に組み込まれるプロジェクタ本体１
５の光学系の構成を説明する図である。
【００２６】
本プロジェクタ本体１５は、光源光を発生する光源装置２１と、光源装置２１からの光
源光を赤緑青の３色に分割する色分離光学系２３と、色分離光学系２３から射出された各
色の照明光によって照明される光変調部２５と、光変調部２５からの各色の像光を合成す
るクロスダイクロイックプリズム２７と、クロスダイクロイックプリズム２７を経た像光
を透過型スクリーン（図１参照）に投射するための投射光学系である投射レンズ２９とを
備える。このうち、光源装置２１は、不図示の空冷装置によって空冷されており、光変調
部２５も、空冷装置３１によって紙面下側から空冷されている。
【００２７】
以上のプロジェクタ本体１５において、光源装置２１は、光源ランプ２１ａと、凹レン
ズ２１ｂと、一対のフライアイレンズ２１ｄ，２１ｅと、偏光変換部材２１ｇと、重畳レ
ンズ２１ｉとを備える。このうち、光源ランプ２１ａは、例えば高圧水銀ランプからなり
、光源光を回収して前方に射出させる凹面鏡を備える。凹レンズ２１ｂは、光源ランプ２
１ａからの光源光を平行化する役割を有するが、凹面鏡が放物面に場合には省略すること
もできる。一対のフライアイレンズ２１ｄ，２１ｅは、マトリックス状に配置された複数
の要素レンズからなり、これらの要素レンズによって凹レンズ２１ｂを経た光源ランプ２
１ａからの光源光を分割して個別に集光・発散させる。偏光変換部材２１ｇは、フライア
イレンズ２１ｅから射出した光源光を例えば図３の紙面に垂直なＳ偏光成分のみに変換し
て次段光学系に供給する。重畳レンズ２１ｉは、偏光変換部材２１ｇを経た照明光を全体
として適宜収束させることにより、光変調部２５に設けた各色の光変調装置に対する重畳
照明を可能にする。つまり、両フライアイレンズ２１ｄ，２１ｅと重畳レンズ２１ｉとを
経た照明光は、以下に詳述する色分離光学系２３を経て、光変調部２５に設けられた各色
の液晶パネル２５ａ，２５ｂ，２５ｃを均一に重畳照明する。
【００２８】
色分離光学系２３は、第１及び第２ダイクロイックミラー２３ａ，２３ｂと、補正光学
系である３つのフィールドレンズ２３ｆ，２３ｇ，２３ｈと、ミラー２３ｍ，２３ｎ，２
３ｏとを備え、光源装置２１とともに照明装置を構成する。ここで、第１ダイクロイック
ミラー２３ａは、赤緑青の３色のうち例えば青光（Ｂ光）を反射し緑光（Ｇ光）及び赤光
（Ｒ光）を透過させる。また、第２ダイクロイックミラー２３ｂは、入射した赤及び緑の
２色のうち例えば緑光を反射し赤光を透過させる。この色分離光学系２３において、光源
装置２１からの略白色の光源光は、まず第１ダイクロイックミラー２３ａに入射する。第
１ダイクロイックミラー２３ａで反射された青光は、例えばＳ偏光のまま、ミラー２３ｍ
を経てフィールドレンズ２３ｆに入射する。また、第１ダイクロイックミラー２３ａを透
過して第２ダイクロイックミラー２３ｂで反射された緑光は、例えばＳ偏光のままフィー
ルドレンズ２３ｇに入射する。さらに、第２ダイクロイックミラー２３ｂを通過した赤光
は、例えばＳ偏光のまま、レンズＬＬ１，ＬＬ２及びミラー２３ｎ，２３ｏを経て、入射
角度を調節するためのフィールドレンズ２３ｈに入射する。レンズＬＬ１，ＬＬ２及びフ
ィールドレンズ２３ｈは、リレー光学系を構成している。このリレー光学系は、第１レン
ズＬＬ１の像を、第２レンズＬＬ２を介してほぼそのままフィールドレンズ２３ｈに伝達
する機能を備えている。
【００２９】
光変調部２５は、３つの液晶パネル２５ａ〜２５ｃと、各液晶パネル２５ａ〜２５ｃを
挟むように配置される３組の偏光フィルタ２５ｅ，２５ｆ，２５ｇとを備える。ここで、
青光用の液晶パネル２５ａと、これを挟む一対の偏光フィルタ２５ｅ，２５ｅとは、照明
光のうち青光を画像情報に基づいて２次元的に輝度変調するための青色用の液晶ライトバ
ルブを構成する。同様に、緑光用の液晶パネル２５ｂと、対応する偏光フィルタ２５ｆ，
２５ｆも、緑色用の液晶ライトバルブを構成し、赤光用の液晶パネル２５ｃと、偏光フィ
ルタ２５ｇ，２５ｇも、赤色用の液晶ライトバルブを構成する。
【００３０】
第１光路ＯＰ１にある青光用の第１液晶パネル２５ａには、色分離光学系２３の第１ダ
イクロイックミラー２３ａで反射されることによって分岐された青光が、フィールドレン
ズ２３ｆを介して入射する。第２光路ＯＰ２にある緑光用の第２液晶パネル２５ｂには、
色分離光学系２３の第２ダイクロイックミラー２３ｂで反射されることによって分岐され
た緑光が、フィールドレンズ２３ｇを介して入射する。第３光路ＯＰ３にある赤光用の第
３液晶パネル２５ｃは、第２ダイクロイックミラー２３ｂを透過することによって分岐さ
れた赤光が、フィールドレンズ２３ｈを介して入射する。各液晶パネル２５ａ〜２５ｃに
それぞれ入射した３色の光は、各液晶パネル２５ａ〜２５ｃに電気的信号として入力され
た駆動信号或いは画像信号に応じて変調される。その際、偏光フィルタ２５ｅ，２５ｆ，
２５ｇによって、各液晶パネル２５ａ，２５ｂ，２５ｃに入射する照明光の偏光方向が調
整されるとともに、各液晶パネル２５ａ，２５ｂ，２５ｃから射出される変調光から所定
の偏光方向の成分光が像光として取り出される。つまり、青色用の液晶ライトバルブ２５
ａ，２５ｅと、緑色用の液晶ライトバルブ２５ｂ，２５ｆと、赤色用の液晶ライトバルブ
２５ｃ，２５ｅとは、それぞれ入射した照明光の空間的強度分布を変調する非発光型の光
変調装置として機能している。
【００３１】
クロスダイクロイックプリズム２７は、合成光学系であり、４つの直角プリズムを貼り
合わせた平面視略正方形状をなし、直角プリズム同士を貼り合わせた界面には、Ｘ字状に
交差する一対の誘電体多層膜２７ａ，２７ｂが形成されている。一方の第１誘電体多層膜
２７ａは青色光を反射し、他方の第２誘電体多層膜２７ｂは赤色光を反射する。このクロ
スダイクロイックプリズム２７は、液晶パネル２５ａからの青光を第１誘電体多層膜２７
ａで反射して進行方向左側に射出させ、液晶パネル２５ｂからの緑光を第１及び第２誘電
体多層膜２７ａ，２７ｂを介して直進・射出させ、液晶パネル２５ｃからの赤光を第２誘
電体多層膜２７ｂで反射して進行方向右側に射出させる。
【００３２】
図４は、図３に示す光変調部２５及びクロスダイクロイックプリズム２７の配置関係等
を説明する斜視図である。図示のように、光変調部２５を構成する青色用の液晶ライトバ
ルブ２５ｖａと、緑色用の液晶ライトバルブ２５ｖｂと、赤色用の液晶ライトバルブ２５
ｖｃとは、縦長のクロスダイクロイックプリズム２７の３つの側面に対向するように配置
されている。結果的に、各液晶ライトバルブ２５ｖａ，２５ｖｂ，２５ｖｃは、鉛直方向
に立てた状態で配置されている。この際、各液晶ライトバルブ２５ｖａ，２５ｖｂ，２５
ｖｃの中心を垂直に横切るシステム光軸ＯＡは、同一のＸＹ平面、すなわち基準面ＳＳ（
図１参照）に沿って配置されている。各液晶ライトバルブ２５ｖａ，２５ｖｂ，２５ｖｃ
は、縦に長い長方形の有効領域を有しており、その横幅ｗは、その高さｈよりも小さい。
言い換えると、各液晶ライトバルブ２５ｖａ，２５ｖｂ，２５ｖｃは、その長手方向がＸ
Ｙ平面に平行な基準面ＳＳに対して垂直になるように配置される。なお、各液晶ライトバ
ルブ２５ｖａ，２５ｖｂ，２５ｖｃは、水平配置型の空冷装置３１によって下方から冷却
されている。空冷装置３１からの気流ＡＣは、鉛直上方のＺ方向に上昇し、各液晶ライト
バルブ２５ｖａ，２５ｖｂ，２５ｖｃの入射面側と射出面側とを効率良く冷却する。
【００３３】
図３に戻って、投射レンズ２９は、クロスダイクロイックプリズム２７で合成されたカ
ラーの像光を、光軸ＯＡ０方向に射出し所望の倍率で透過型スクリーン１８（図１参照）
の裏面に投射する。つまり、各液晶パネル２５ａ〜２５ｃに入力された駆動信号或いは画
像信号に対応する所望の倍率のカラー動画やカラー静止画が透過型スクリーン１８上に背
後から投射される。
【００３４】
図５は、図３のプロジェクタ本体１５を制御するための回路部分を概念的に説明するブ
ロック図である。この回路部分５０は、テレビ用の電波信号からビデオ信号等を得るテレ
ビチューナ部５１と、ビデオ信号等の信号に対して必要な画像処理を施す画像処理部５２
と、画像処理部５２の出力に基づいて各液晶パネル２５ａ，２５ｂ，２５ｃを駆動するパ
ネル駆動部５３と、空冷装置３１を動作させるファン駆動装置５５と、これらの動作を統
括的に制御する主制御部５７とを備える。このうち、テレビチューナ部５１と、画像処理
部５２とは、各液晶パネル２５ａ，２５ｂ，２５ｃ等に画像形成を行わせることにより、
リアプロジェクション装置１０をテレビとして動作させるための信号処理回路として機能
する。
【００３５】
以上の回路部分のうち、テレビチューナ部５１は、不図示のアンテナを介して供給され
るテレビ電波信号のうち現在選択されているチャンネル信号を取り込み、取り込んだチャ
ンネル信号をビデオ信号等の表示や処理に適する画像信号に変換する部分である。
【００３６】
画像処理部５２は、ビデオ信号をパネル駆動部５３の動作に適する信号に変換するため
の部分で、入力された画像信号に対して適宜補正処理を行う画像補正回路５２ａを備える
。画像処理部５２すなわち画像補正回路５２ａは、主制御部５７からの指令に基づいて、
ビデオ信号に対して諧調補正、色補正、歪補正等の各種画像処理を行う。なお、テレビチ
ューナ部５１を動作させないで、外部からのビデオ信号を画像処理部５２に直接取り込む
こともできる。
【００３７】
パネル駆動部５３は、画像処理部５２から出力された画像処理後の画像信号に基づいて
各液晶パネル２５ａ，２５ｂ，２５ｃの表示状態を調節する駆動信号を発生する。これに
より、画像処理部５２から出力された画像信号に対応して、液晶パネル２５ａ，２５ｂ，
２５ｃ及びこれらに付随する偏光フィルタ２５ｅ，２５ｆ，２５ｇからなる液晶ライトバ
ルブ２５ｖａ，２５ｖｂ，２５ｖｃにおいて、透過率分布としての画像（動画や静止画）
を形成することができる。
【００３８】
ファン駆動装置５５は、空冷装置３１に電力を供給するとともに温度センサ３２を駆動
して検出信号を受け取る。空冷装置３１は、図４で説明したように液晶ライトバルブ２５
ｖａ，２５ｖｂ，２５ｖｃの直下に配置されており、主制御部５７の制御下で液晶ライト
バルブ２５ｖａ，２５ｖｂ，２５ｖｃを空冷する。また、温度センサ３２は、液晶ライト
バルブ２５ｖａ，２５ｖｂ，２５ｖｃの周辺に配置されており、温度センサ３２からの検
出信号を受け取ったファン駆動装置５５は、液晶ライトバルブ２５ｖａ，２５ｖｂ，２５
ｖｃの温度を監視しつつ空冷装置３１の出力すなわちファン回転数を調整する。
【００３９】
主制御部５７は、制御装置としてプロジェクタ本体１５の全体的な動作を制御するもの
であり、マイクロコンピュータ等からなるとともに、プロジェクタ本体１５の動作に必要
な各種データを保持するための記憶部５７ａを内蔵する。記憶部５７ａは、プロジェクタ
本体１５を動作させるための各種プログラム等を記憶しており、プロジェクタ本体１５や
リアプロジェクション装置１０の動作状態を適切に維持する。
【００４０】
なお、主制御部５７に接続されたキー入力部５９は、主制御部５７に対してユーザの指
示を入力するための入力装置として機能する。ユーザは、キー入力部５９を操作すること
によって、プロジェクタ本体１５による投射状態の調節を行うことができる。なお、キー
入力部５９は、同様の機能を有するリモコン操作装置に置き換えることができ、或いはか
かるリモコン操作装置と併用することができる。
【００４１】
以上説明した本実施形態のリアプロジェクション装置１０によれば、各色の液晶ライト
バルブ２５ｖａ，２５ｖｂ，２５ｖｃの長手方向が基準面ＳＳに対して垂直に配置されて
いるので、液晶ライトバルブ２５ｖａ，２５ｖｂ，２５ｖｃを構成する液晶パネル２５ａ
，２５ｂ，２５ｃや偏光フィルタ２５ｅ，２５ｆ，２５ｇといった要素が鉛直方向（Ｚ方
向）に延びる状態で設置される。よって、液晶パネル２５ａ，２５ｂ，２５ｃや偏光フィ
ルタ２５ｅ，２５ｆ，２５ｇを空気の対流を利用して効率的に冷却することができ、経時
的に劣化や変動の少ない高品位の画像を透過型スクリーン１８上に投射することができる
。また、各色の液晶ライトバルブ２５ｖａ，２５ｖｂ，２５ｖｃの長手方向が鉛直方向に
沿った縦置型になるので、各液晶ライトバルブ２５ｖａ，２５ｖｂ，２５ｖｃを互いに比
較的近接したコンパクトな状態に配置することができ、本プロジェクタ本体１５延いては
リアプロジェクション装置１０の小型化を図ることができる。
【００４２】
〔第２実施形態〕
以下、第２実施形態に係るリアプロジェクション装置について説明する。本実施形態の
リアプロジェクション装置は、図１等に示す第１実施形態に係るリアプロジェクション装
置１０を変形したものであり、特に説明しない部分は、第１実施形態の装置と同様である
ものとする。
【００４３】
図６は、図１（ｂ）に対応するもので、第２実施形態に係るリアプロジェクション装置
１１０の側面図である。この場合、第２ミラー１７が鉛直方向に対して４５°でなく３０
°程度の傾斜角を有している。この結果、第２ミラー１７で反射される像光の光束の中心
軸に相当する光軸ＯＡ３は、水平方向ではなく、ＸＺ平面内で数１０°上向きに傾斜して
いる。
【００４４】
以上のような導光系すなわちミラー１６，１７を用いた場合、プロジェクタ本体１５か
らの像光が透過型スクリーン１８に対して上向きに投射される状態に対応するものとなり
、プロジェクタ本体１５からの像光は、水平なＸＹ平面内で右寄り（＋Ｘ向き）に射出さ
れることになる。このため、投射レンズ２９をリアプロジェクション装置１１０の光軸Ｏ
Ａ０に対して＋Ｘ方向にシフトさせて透過型スクリーン１８に投射される像の台形補正や
ピント補正を行うことができる。なお、透過型スクリーン１８上の画像に対する台形補正
は、図５に示す画像処理部５２で行うこともできる。
【００４５】
以上実施形態に即して本発明を説明したが、本発明は、上記の実施形態に限られるもの
ではなく、その要旨を逸脱しない範囲において種々の態様において実施することが可能で
あり、例えば次のような変形も可能である。
【００４６】
上記実施形態のプロジェクタ本体１５では、クロスダイクロイックプリズム２７を囲む
ように液晶ライトバルブ２５ｖａ，２５ｖｂ，２５ｖｃを配置してカラー画像の合成を行
っているが、液晶ライトバルブ２５ｖａ，２５ｖｂ，２５ｖｃを基準面ＳＳに沿って並列
的に配置し、各液晶ライトバルブ２５ｖａ，２５ｖｂ，２５ｖｃからの像光を２つのダイ
クロイックミラーで合成することもできる。
【００４７】
上記実施形態のプロジェクタ本体１５では、光源装置２１を、光源ランプ２１ａ、一対
のフライアイレンズ２１ｄ，２１ｅ、偏光変換部材２１ｇ、及び重畳レンズ２１ｉで構成
したが、フライアイレンズ２１ｄ，２１ｅ、偏光変換部材２１ｇ等については省略するこ
とができ、光源ランプ２１ａも、ＬＥＤ等の別光源に置き換えることができる。
【００４８】
上記実施形態では、３つの液晶パネル２５ａ〜２５ｃを用いたプロジェクタ本体１５の
例のみを挙げたが、本発明は、４つ以上の液晶パネルを用いたプロジェクタにも適用可能
である。
【図面の簡単な説明】
【００４９】
【図１】（ａ）〜（ｃ）は、第１実施形態に係るリアプロジェクション装置を説明する図である。
【図２】プロジェクタ本体から透過型スクリーンに至る光路を説明する図である。
【図３】図１に示すプロジェクタ本体の光学系の構成を説明する図である。
【図４】図３に示す光変調部等の詳細な配置を説明する斜視図である。
【図５】図３のプロジェクタ本体用の回路部分を説明するブロック図である。
【図６】第１実施形態に係るリアプロジェクション装置を説明する側面図である。
【符号の説明】
【００５０】
１０…リアプロジェクション装置、  １２…ケース、  １５…プロジェクタ本体、  １
６…第１ミラー、  １７…第２ミラー、  １８…透過型スクリーン、  ２１…光源装置、
２１ｇ…偏光変換部材、  ２３…色分離光学系、  ２３ａ，２３ｂ…ダイクロイックミ
ラー、  ２５…光変調部、  ２５ａ，２５ｂ，２５ｃ…液晶パネル、  ２５ｅ，２５ｆ，
２５ｇ…偏光フィルタ、  ２５ｖａ，２５ｖｂ，２５ｖｃ…液晶ライトバルブ、  ２７…
クロスダイクロイックプリズム、  ２９…投射レンズ、  ３１…空冷装置、  ５０…回路
部分、  ５１…テレビチューナ部、  ５２…画像処理部、  ５３…パネル駆動部、  ５５
…ファン駆動装置、  ５７…主制御部、  ＩＬ…像光、  ＯＡ…システム光軸、  ＯＡ１
…第１光軸、  ＯＡ２…第２光軸、  ＯＡ３…第３光軸、  ＳＳ…基準面
【図１】
2008102401.tif 000003
【図２】
2008102401.tif 000004
【図３】
2008102401.tif 000005
【図４】
2008102401.tif 000006
【図５】
2008102401.tif 000007
【図６】
2008102401.tif 000008